(57)【要約】【課題】親綱を高張力状態に張設することができるようにした親綱張設装置を提供することである。【解決手段】親綱２０の一端部に取付けられたフック２１および親綱緊張器１に連結されたフック３のそれぞれを一対の係合対象物Ａ１  、Ａ２  に係合し、前記親綱２０の他端部を親綱緊張器１に設けられたロープ反転ガイドの外周に沿わせて折り返し、その折り返し側端部を引く操作により親綱２０を緊張させ、その親綱２０に親綱緊張器１に設けられた係合爪を係合させて親綱２０を緊張状態に保持する。親綱緊張器１に増締め具３０を設け、増締め具３０の操作により親綱２０の折り返し側端部に引張り力を付与して親綱２０の張力を高めるようにする。【選択図】  図１
2004360840.tif 000002
【特許請求の範囲】
【請求項１】
ロープ反転ガイドおよび揺動可能な係合爪を有する親綱緊張器にフックを連結し、そのフックと親綱の一端部に取付けられたフックのそれぞれを一対の係合対象物に係合し、前記親綱の他端部を親綱緊張器に設けられたロープ反転ガイドの外周に沿わせて折り返し、その折り返し側端部を引く操作により親綱を緊張させ、その親綱に前記係合爪を係合させて親綱を緊張状態に保持するようにした親綱張設装置において、前記一対の係合対象物間に、緊張状態の親綱に引張り力を付与する増締め具を取付けたことを特徴とする親綱張設装置。
【請求項２】
前記増締め具が、親綱の折り返し側端部に引張り力を付与する方向に移動可能なスライド部材と、親綱緊張器に設けられたねじ孔にねじ係合されて先端部が前記スライド部材に回転自在に連結されたねじ棒とから成り、前記スライド部材に前記親綱の折り返し側端部が係止される係止部を設けた構成から成る請求項１に記載の親綱張設装置。
【請求項３】
前記増締め具が、親綱緊張器に連結されて親綱の折り返し側端部に引張り力を付与する方向に延びるスライドガイドと、そのスライドガイドに設けられたねじ孔にねじ係合されたねじ棒と、そのねじ棒の回転によって前記スライドガイドに案内されながら親綱の折り返し側端部に引張り力を付与する方向に移動するスライド部材とから成り、前記スライド部材に親綱の折り返し側端部が係止される係止部を設けた構成から成る請求項１に記載の親綱張設装置。
【請求項４】
前記増締め具が、親綱緊張器に一端部が連結され、他端部にねじ孔が形成された第１連結具と、その第１連結具のねじ孔にねじ係合されたねじ棒と、そのねじ棒に一端部が回転自在に連結され、他端部がフックに連結された第２連結具とから成る請求項１に記載の親綱張設装置。
【請求項５】
前記増締め具が、両端部に逆ねじが形成されたねじ棒と、そのねじ棒の一端部にねじ係合された第１連結具と、前記ねじ棒の他端部にねじ係合された第２連結具とから成り、前記第１連結具を親綱緊張器に連結し、第２連結具をフックに連結した請求項１に記載の親綱張設装置。
【請求項６】
前記増締め具が、親綱緊張器に一端部が連結され、他端部にねじ孔が形成された連結具と、その連結具のねじ孔に一端部がねじ係合され、他端部がフックに連結されたねじ棒とから成り、前記親綱とその一端部のフックとを相対的に回転自在に連結した請求項１に記載の親綱張設装置。
【請求項７】
前記増締め具が、親綱緊張器に一端部が連結され、他端部がフックに連結されたターンバックルから成る請求項１に記載の親綱張設装置。
【請求項８】
前記増締め具が、回転自在に支持された巻胴および巻胴の回転方向を一方向に規制するラチェット機構を有するロープ巻取器と、そのロープ巻取器の巻胴に一端部が固定されたロープとから成り、前記ロープ巻取器を親綱緊張器に連結し、ロープの他端部をフックに連結した請求項１に記載の親綱張設装置。
【発明の詳細な説明】
【０００１】
【発明の属する技術分野】
この発明は、墜落防止用親綱の張設装置に関するものである。
【０００２】
【従来の技術】
一般に、建設現場などの高所で作業を行なう場合、その作業位置に親綱を張設し、一方、作業者の腰部に巻付けた高所作業用安全帯にはフック付きロープを接続し、そのロープ先端のフックを前記親綱に係合して作業者の墜落を防止する安全対策が図られている。
【０００３】
上記親綱の張設に際し、親綱緊張器が用いられる。その親綱緊張器として、緊張器本体に設けられた一対の側板間にロープ反転ガイドと、そのロープ反転ガイドに対して揺動可能な係合爪とを設け、上記係合爪をスプリングによりロープ反転ガイドに向けて付勢したものが従来から知られている（特許文献１参照）。
【０００４】
上記親綱緊張器を用いる親綱張設装置においては、親綱の一端部に連結されたフックと親綱緊張器に連結されたフックのそれぞれを構築物等の固定の係合対象物に係合し、親綱の他端部を親綱緊張器のロープ反転ガイドの外周に沿わせて折り返し、その折り返し側端部を引く操作によって親綱を緊張させたのち、その親綱に係合爪を係合させて親綱を緊張状態に保持するようにしている。
【０００５】
【特許文献１】
特許第２５６５７３９号公報
【０００６】
【発明が解決しようとする課題】
ところで、上記のような親綱張設装置においては、親綱の折り返し側端部の引張り力を解除させたとき、係合爪は親綱に付与される張力により係合方向に揺動して親綱の折り返し側端部に強く係合するため、上記係合爪が強く係合するまでの間で親綱に弛みが生じ、親綱を高張力状態に張設することができない。この場合、作業者が万一落下すると、作業者の落下距離が大きくなり、作業者が受け止められたときの衝撃が大きく、その衝撃によって作業者が怪我をし、あるいは親綱が切断する危険がある。
【０００７】
この発明の課題は、親綱を高張力状態に張設することができるようにした親綱張設装置を提供することである。
【０００８】
【課題を解決するための手段】
上記の課題を解決するために、この発明においては、ロープ反転ガイドおよび揺動可能な係合爪を有する親綱緊張器にフックを連結し、そのフックと親綱の一端部に取付けられたフックのそれぞれを一対の係合対象物に係合し、前記親綱の他端部を親綱緊張器に設けられたロープ反転ガイドの外周に沿わせて折り返し、その折り返し側端部を引く操作により親綱を緊張させ、その親綱に前記係合爪を係合させて親綱を緊張状態に保持するようにした親綱張設装置において、前記一対の係合対象物間に、緊張状態の親綱に引張り力を付与する増締め具を取付けた構成を採用したのである。
【０００９】
上記のように、親綱を緊張させる増締め具を設けることにより、親綱の折り返し側端部を引っ張って親綱を緊張させ、その親綱に係合爪が強く係合するまでに親綱に弛みが生じても、前記増締め具を操作することにより親綱をさらに緊張させることができるので、親綱を高張力状態に張設することができる。
【００１０】
この発明に係る親綱張設装置において、増締め具として、親綱の折り返し側端部が係止される係止部を有するスライド部材にねじ棒を回転自在に連結し、そのねじ棒を親綱緊張器に設けられたねじ孔にねじ係合し、前記係止部に親綱の折り返し側端部を係止させたのち、ねじ棒の回転による軸方向の移動によりスライド部材を移動させて親綱の折り返し側端部に引張り力を付与するようにしたものを採用することができる。
【００１１】
また、前記増締め具として、親綱緊張器にねじ孔を有する連結具を連結し、そのねじ孔にねじ係合されたねじ棒の端部をフックに回転自在に連結し、上記ねじ棒の回転によって親綱緊張器をフック側に移動させるようにしたものを採用することができる。
【００１２】
上記のような増締め具においては、ねじ棒を回転させる代わりに親綱緊張器を回転させるようにしてもよい。この場合、親綱緊張器の回転によって親綱にねじれが生じるため、親綱とその一端部のフックとを相対的に回転自在に支持して親綱にねじれが生じるのを防止する。
【００１３】
さらに、増締め具として、両端部に逆ねじが形成されたねじ棒の各ねじに連結具をねじ係合し、一方の連結具を親綱緊張器に、他方の連結具をフックに連結し、上記ねじ棒の回転によって親綱緊張器をフック側に引き寄せるようにしたものを採用することができる。
【００１４】
また、増締め具として、一端部が親綱緊張器に連結され、他端部がフックに連結されたターンバックルを採用することができる。
【００１５】
さらに、増締め具として、巻胴および巻胴の回転方向を一方向に規制するラチェット機構を有するロープ巻取器と、そのロープ巻取器の巻胴に一端部が固定されたロープとから成り、前記ロープ巻取器を親綱緊張器に連結し、ロープの先端部をフックに連結し、前記巻胴の回転によりロープを巻取って親綱緊張器をフック側に引き寄せるようにしたものを採用することができる。
【００１６】
【発明の実施の形態】
以下、この発明の実施の形態を図面に基づいて説明する。図１乃至図４は、この発明に係る親綱張設装置の第１の実施形態を示す。
【００１７】
図１に示すように、親綱張設装置は、親綱緊張器１と、その親綱緊張器１によって緊張状態に保持される親綱２０とを有し、前記親綱緊張器１には連結具２を介してフック３が連結され、一方、親綱２０の一端部にはフック２１が取付けられている。
【００１８】
図２乃至図３に示すように、親綱緊張器１は、緊張器本体４を有し、その緊張器本体４は、一対の側板５の一側縁間に断面Ｕ字形の第１ロープ案内部６を設け、かつ側板５の他側縁間に平板状の第２ロープ案内部７を設けた構成とされている。
【００１９】
一対の側板５間には第１ロープ案内部６内に挿通される親綱２０の他端部を反転させるロープ反転ガイド８が設けられている。
【００２０】
ロープ反転ガイド８は半円形をなし、その外周には断面円弧状のロープ案内溝９が形成されている。このロープ反転ガイド８は一対の側板５によって両端部が支持された軸１０により円弧状外周の中心部が支持され、両側面の外周部に設けられた突起１１が一対の側板５に形成された切欠部１２に嵌合されて非回転の支持とされている。
【００２１】
なお、上記のようなロープ反転ガイド８に代えて、溝付きガイドローラをロープ反転ガイドとして、その溝付きガイドローラを回転自在に支持してもよい。
【００２２】
一対の側板５間には、ロープ反転ガイド８によって反転された親綱２０の折り返し側端部２０ａを第２ロープ案内部７とで挟持する係合爪１３が設けられている。
【００２３】
係合爪１３は一対の側板５間に渡された軸１４を中心にして揺動自在に支持され、その外周には、軸１４までの長さが一端から他端に至るに従って次第に大きくなる円弧状のロープ押圧面１５が設けられている。ロープ押圧面１５には複数のストランドの撚り合わせによって形成された親綱２０のねじ溝に係合可能なねじれ突条１５ａと、そのねじれ突条１５ａ間に上記ストランドの外周に沿うねじれ溝１５ｂとが交互に形成されている。
【００２４】
係合爪１３は軸１４に支持されたスプリング１６によって親綱２０の折り返し側端部２０ａと係合する方向に付勢されている。
【００２５】
図２に示すように、緊張器本体４における一対の側板５には窓１７が形成され、一方、係合爪１３には上記窓１７と対応する位置に係合孔１８が設けられている。このため、窓１７から係合孔１８にシノ等の工具を挿入し、あるいは指先を挿入して係合爪１３を引き上げることにより係合爪１３を揺動させることができ、親綱２０の折り返し側端部に対する係合爪１３の係合を簡単に解除し得るようになっている。なお、親綱緊張器は上記のものに限定されない。例えば、特許第２５６５７９３号公報に記載されているような親綱緊張器であってもよい。
【００２６】
図２および図３に示すように、親綱緊張器１とフック３を連結する前記連結具２は、２つのコの字形枠２ａ、２ｂと、そのコの字形枠２ａ、２ｂの板体２ｃ同士を回転自在に連結する連結軸２ｄとから成り、一方のコの字形枠２ａの端部はロープ反転ガイド８を支持する軸１０の両端部に回転自在に連結され、他方のコの字形枠２ｂの端部はフック３の後端部に形成された孔３ｂに挿通される連結ピン２ｅを介してフック３に連結されている。
【００２７】
図２乃至図４に示すように、親綱緊張器１には親綱２０の折り返し側端部をひくことによって緊張され、係合爪１３の係合によって緊張状態に保持される親綱２０に引張り力を付与する増締め具３０が設けられている。
【００２８】
増締め具３０は、緊張器本体４における第２ロープ案内部７の端部に支持片３１を設け、その支持片３１にナット３２を溶接等の手段により固着し、そのナット３２のねじ孔３３にねじ棒３４をねじ係合し、前記第２ロープ案内部７の外表面にガイドされて親綱２０の折り返し側端部に引張り力を付与する方向に移動可能なスライド部材３５の後端部に連結片３６を設け、その連結片３６にねじ棒３４の先端部を回転自在に連結している。また、スライド部材３５の先端部に親綱２０の折り返し側端部２０ａを係止する係止部３７を設けている。
【００２９】
ここで、係止部３７は、スライド部材３５の先端に形成された切欠部３７ａと、その切欠部３７ａの後側においてスライド部材３５の片面に設けられたＬ形の係合片３７ｂとから成り、前記切欠部３７ａに親綱２０の折り返し側端部２０ａを嵌め、かつ係合片３７ｂの一側方からその係合片３７ｂ内に嵌合させることによって折り返し側端部２０ａが係止されるようになっている。
【００３０】
なお、３８はねじ棒３４の回転操作用のハンドルを示し、そのハンドル３８はねじ棒３４の端部に固着された筒体３９内にスライド自在に挿入されている。
【００３１】
実施の形態で示す親綱張設装置は上記の構造から成り、親綱２０の張設に際しては、図１に示すように、対向配置の係合対象物Ａ１  、Ａ２  の一方に親綱２０の一端部に連結されたフック２１を係合すると共に、係合対象物Ａ１  、Ａ２  の他方に親綱緊張器１に連結されたフック３を係合する。
【００３２】
各フック３、２１の係合後、親綱２０の他端部を親綱緊張器１の第１ロープ案内部６内に挿通し、その他端部をロープ反転ガイド８の外周に沿わせて折り返し、その折り返し側端部２０ａを第２ロープ案内部７と係合爪１３間に挿通し、第２ロープ案内部７から外側に引き出された折り返し側端部２０ａに引張り力を付与して、親綱２０を緊張させる。
【００３３】
親綱２０の緊張後、折り返し側端部２０ａに対しての引張り力を解除すると、係合爪１３が親綱２０の折り返し側端部２０ａに係合し、その係合によって親綱２０は緊張状態に保持される。
【００３４】
ここで、係合爪１３は、親綱２０に付与される張力により係合方向に揺動して親綱２０に強く係合する構成であるため、その係合爪１３が親綱２０に強く係合するまでの間で親綱２０に弛みが生じる。
【００３５】
そこで、親綱２０の張設後、増締め具３０を操作して親綱２０を再度緊張させる増締め作業を行なう。
【００３６】
親綱２０の増締めに際しては、第２ロープ案内部７から外部に引き出された親綱２０の折り返し側端部２０ａをスライド部材３５に設けられた切欠部３７ａおよび係合片３７ｂの内側に嵌合して係止し、その折り返し側端部２０ａの係止後に、ハンドル３８の操作によりねじ棒３４を回転させて、スライド部材３５を係止部３７が親綱緊張器１から離反する方向に移動させる。その移動によって折り返し側端部２０ａに引張り力が付与されるため、親綱２０は緊張される。
【００３７】
このように、増締め具３０を操作することによって親綱２０を緊張させることができるため、親綱２０を高張力状態に保持することができる。
【００３８】
また、ねじ棒３４を回転させることによって親綱２０が増締めされるため、増締め作業が容易である。
【００３９】
さらに、作業者が万一落下して親綱２０に衝撃力が付与されると、その衝撃力は係合爪１３と折り返し側端部２０ａの係合部およびスライド部材３５の係止部３７と折り返し側端部２０ａの係合部で受けられるため、親綱２０の破断防止に効果を挙げることができる。
【００４０】
なお、ねじ棒３４が振動等によって弛み方向に回転すると、係合爪１３は親綱２０に付与された張力によって強く係合する方向に揺動し、その揺動によって親綱２０に多少の弛みが生じる。その防止対策として、ねじ棒３４にロックナットをねじ係合し、そのロックナットの締付けによってねじ棒３４をロックさせるのがよい。
【００４１】
図５乃至図１３は、この発明に係る親綱張設装置の増締め具３０の他の例を示す。
【００４２】
図５および図６に示す増締め具３０は、緊張器本体４の第２ロープ案内部７の外表面にスライドガイド４０の後端部を連結し、そのスライドガイド４０の先端部上に突片４１を設け、その突片４１に形成されたねじ孔４２にハンドル４３を端部に有するねじ棒４４をねじ係合している。
【００４３】
また、スライドガイド４０の上面に沿ってスライド部材４５を移動自在に設け、そのスライド部材４５の先端部に設けられた突片４６に前記ねじ棒４４の端部を回転自在に連結し、前記スライド部材４５の後端部に親綱２０の折り返し側端部２０ａを係止する係止部４７を設けている。
【００４４】
係止部４７は、スライド部材４５の後端部一側より起立する係合板４７ａの先端縁に切欠部４７ｂを設け、かつ係合板４７ａの側面にＬ形の係合片４７ｃを設け、前記切欠部４７ｂおよび係合片４７ｃの内側に対する親綱２０の折り返し側端部２０ａの嵌合によって、その折り返し側端部２０ａを係止するようにしている。
【００４５】
上記の構成から成る増締め具３０において、緊張器本体４の外部に引き出された親綱２０の折り返し側端部２０ａをスライド部材４５の係止部４７に係止し、ハンドル４３の操作によりねじ棒４４を回転させてスライド部材４５を親綱緊張器１から離れる方向に移動させることにより、親綱２０の折り返し側端部２０ａに引張り力が付与されるため、親綱２０を緊張させることができる。
【００４６】
上記増締め具３０においてもねじ棒４４にロックナットをねじ係合しておくのが好ましい。
【００４７】
図７および図８に示す増締め具３０は、緊張器本体４の軸１０に一端部が回転自在に連結された第１連結具５０と、その第１連結具５０の他端部に設けられたねじ孔５１にねじ係合されたねじ棒５２と、そのねじ棒５２の端部に一端部が回動自在に連結され、他端部がフック３の後端部に屈曲自在に連結された第２連結具５３から成り、前記ねじ棒５２に工具挿入孔５４を有するカラー５５を固定している。
【００４８】
上記増締め具３０においては、親綱緊張器１によって親綱２０を緊張状態に保持したのち、ねじ棒５２の回転により親綱緊張器１をフック３側に引き寄せて親綱２０をさらに緊張させるようにしている。
【００４９】
上記増締め具３０においてもねじ棒５２にロックナットをねじ係合しておくのが好ましい。
【００５０】
図９に示す増締め具３０は、両端部に逆ねじが形成されたねじ棒６０と、そのねじ棒６０の一端部にねじ係合された第１連結具６１と、ねじ棒６０の他端部にねじ係合された第２連結具６２とから成り、前記第１連結具６１を緊張器本体４の軸１０に回動自在に連結し、第２連結具６２をフック３に屈曲自在に連結し、前記ねじ棒６０を回転させ、親綱緊張器１をフック３側に引き寄せて親綱２０をさらに緊張させるようにしている。
【００５１】
上記増締め具３０においては、ねじ棒６０の回転によってそのねじ棒６０が軸方向に移動すると共に、親綱緊張器１もねじ棒６０に対して移動するため、増締め作業を能率よく行なうことができる。
【００５２】
図１０（Ｉ）、（ＩＩ）に示す増締め具３０は、親綱緊張器１の軸１０に連結具７０の一端部を回動自在に連結し、その連結具７０の他端部に設けられたねじ孔７１にねじ棒７２の一端部をねじ係合し、そのねじ棒７２の他端部をフック３に屈曲自在に連結し、前記ねじ棒７２を中心に親綱緊張器１を回転させ、その親綱緊張器１をフック３側に移動させて親綱２０をさらに緊張させるようにしている。
【００５３】
この場合、親綱２０にねじれが生じるため、親綱２０とフック２１とを回転自在継手７３を介して相対的に回転自在に連結して、親綱２０にねじれが生じるのを防止している。
【００５４】
図１１に示す増締め具３０はターンバックルから成り、そのターンバックルの操作枠８０にねじ係合された２本のねじ棒８１、８２の各端部にコの字形枠８３、８４を固着し、一方のコの字形枠８３を親綱緊張器１に連結されたフック３に連結し、他方のコの字形枠８４を係合対象物Ａ２  に係合されたフック３ａに連結し、前記操作枠８０の回転により、親綱緊張器１を係合対象物Ａ２  に係合されたフック３ａ側に引き寄せて親綱２０をさらに緊張させるようにしている。
【００５５】
上記増締め具３０においても図９に示す増締め具３０と同様に親綱２０を能率よく増締めすることができる。
【００５６】
なお、図１１では、一方のねじ棒８１の端部のコの字形枠８３を親綱緊張器１に連結されたフック３に連結したが、上記フック３を省略し、コの字形枠８３を親綱緊張器１に直接連結するようにしてもよい。
【００５７】
図１２および図１３に示す増締め具３０は、ロープ巻取器９０と、そのロープ巻取器９０に巻取られるロープ９１とから成っている。
【００５８】
ロープ巻取器９０は、コの字形の支持枠９２によってロープ９１の一端部が固定された巻胴９３を回転自在に支持し、その巻胴９３の胴軸９３ａと支持枠９２の相互間に巻胴９３の回転方向を一方向に規制するラチェット機構９４を設けている。ラチェット機構９４は、胴軸９３ａに固定された爪車９５と、支持枠９２によって爪軸９６ａが回動自在に支持された爪９６と、その爪９６が爪車９５と係合する方向に爪軸９６ａを一方向に付勢するスプリング９７とから成っている。
【００５９】
上記増締め具３０は、ロープ巻取器９０に連結された連結リング９８を親綱緊張器１に連結されたフック３に連結し、ロープ９１の先端部を係合対象物Ａ２  に係合されたフック３ａに連結し、巻胴９３の回転によるロープ９１の巻取りにより、親綱緊張器１を係合対象物Ａ２  に係合されたフック３ａ側に引き寄せて親綱２０をさらに緊張させるようにしている。
【００６０】
【発明の効果】
以上のように、この発明においては、親綱緊張器によって親綱を張設状態に保持し、その保持後に増締め具を操作することによって親綱を緊張させることができるため、親綱を高張力状態に張設することができる。
【図面の簡単な説明】
【図１】この発明に係る親綱張設装置の実施の形態を示す正面図
【図２】図１の親綱緊張器の詳細を示す縦断正面図
【図３】図２の底面図
【図４】図２の左側面図
【図５】増締め具の他の例を示す正面図
【図６】図５の横断平面図
【図７】増締め具の他の例を示す一部切欠正面図
【図８】図７の一部切欠平面図
【図９】増締め具の他の例を示す一部切欠正面図
【図１０】（Ｉ）は増締め具の他の例を示す正面図、（ＩＩ）は拡大断面図
【図１１】増締め具の他の例を示す正面図
【図１２】増締め具のさらに他の例を示す正面図
【図１３】（Ｉ）は図１２に示す増締め具の拡大図、（ＩＩ）は（Ｉ）の平面図
【符号の説明】
１  親綱緊張器
３、３ａ  フック
８  ロープ反転ガイド
１３  係合爪
２０  親綱
２０ａ  折り返し側端部
２１  フック
３０  増締め具
３３  ねじ孔
３４  ねじ棒
３５  スライド部材
３７  係止部
４０  スライドガイド
４２  ねじ孔
４４  ねじ棒
４５  スライド部材
４７  係止部
５０  第１連結具
５１  ねじ孔
５２  ねじ棒
５３  第２連結具
６０  ねじ棒
６１  第１連結具
６２  第２連結具
７０  連結具
７１  ねじ孔
７２  ねじ棒
９０  ロープ巻取器
９１  ロープ
９３  巻胴
９４  ラチェット機構
【図１】
2004360840.tif 000003
【図２】
2004360840.tif 000004
【図３】
2004360840.tif 000005
【図４】
2004360840.tif 000006
【図５】
2004360840.tif 000007
【図６】
2004360840.tif 000008
【図７】
2004360840.tif 000009
【図８】
2004360840.tif 000010
【図９】
2004360840.tif 000011
【図１０】
2004360840.tif 000012
【図１１】
2004360840.tif 000013
【図１２】
2004360840.tif 000014
【図１３】
2004360840.tif 000015